(57)【要約】      （修正有）【課題】画像ファイルの変換効率を上げてＤＰＥプリントの作業効率を向上させるとともに、変換ソフトの維持管理などに要する運用経費を削減する。【解決手段】利用者がデジカメやメモリカードに入った画像データをＤＰＥショップに持ち込み、ＤＰＥショップはそれをパソコン４に取り込んでオーダ伝票番号名の付いたオリジナル画像フォルダＦ４にまとめ、送信手段１０を介してＬ判・２Ｌ判・６Ｐ判サイズいずれかの元画像用フォルダＦ１に送信する。サーバ１は、、変換手段４０を介してＴＩＦＦ画像フォーマットに変換し、書出手段５０を介してベクトル画像フォルダＦ５と同じ名前のプリント画像フォルダＦ６に書き出してＬ判・２Ｌ判・６Ｐ判サイズいずれかのＴＩＦＦ画像用フォルダＦ３に出力する。ＤＰＥショップは受信手段６０を介してパソコン４にＬ判・２Ｌ判・６Ｐ判サイズいずれかのＴＩＦＦ画像用フォルダＦ３に出力されたプリント画像フォルダＦ６を受信し、フォルダから画像データを取り出してＤＰＥプリントする。【選択図】      図２
2004227152.tif 000002
【特許請求の範囲】
【請求項１】
サーバ内のフォルダにクライアントのパソコンをマウントしてネットワークフォルダとし、
このサーバに、
前記ネットワークフォルダを所定の時間間隔でアクセスするアクセス手段と、
アクセスしたネットワークフォルダ内にあるオリジナル画像フォルダ内の画像ファイルを逐一読み出す読出手段と、
読み出した画像ファイルをプリント用の画像フォーマットに逐一変換する変換手段と、
変換した画像ファイルを前記ネットワークフォルダ内に作成したプリント画像フォルダ内に逐一書き出す書出手段と、
を備え、
前記パソコンには、
パソコン内に作成したオリジナル画像フォルダを前記ネットワークフォルダに移動してプリントしたい画像ファイルをサーバに送信する送信手段と、
サーバがネットワークフォルダ内に作成したプリント画像フォルダをパソコン内に移動してプリント用の画像ファイルを受信する受信手段と、
を備えてなるプリント画像変換システム。
【請求項２】
前記ネットワークフォルダを画像フォーマット別または／およびプリントサイズ別に設けてなる請求項１記載のプリント画像変換システム。
【請求項３】
前記フォルダの移動はドラッグ＆ドロップを用いて行うことを特徴とする請求項１記載のプリント画像変換システム。
【請求項４】
前記オリジナル画像フォルダにはプリントオーダの伝票番号名が付けられることを特徴とする請求項１記載のプリント画像変換スシステム。
【請求項５】
前記プリント画像フォルダにはオリジナル画像フォルダと同じ名前が付けられることを特徴とする請求項１記載のプリント画像変換システム。
【請求項６】
前記時間間隔をクライアントのパソコンで設定可能にしてなる請求項１記載のプリント画像変換システム。
【請求項７】
前記画像ファイルの削除はフォルダ内の画像ファイルを個別に削除する個別削除とフォルダごと削除する一括削除の両方を可能にしてなる請求項１記載のプリント画像変換システム。
【請求項８】
前記プリント用の画像フォーマットに変換する画像ファイルはいったん所定のベクトル画像フォーマットに変換されることを特徴とする請求項１記載のプリント画像変換システム。
【発明の詳細な説明】
【０００１】
【発明の属する技術分野】
本発明は、インターネットを介してサービスセンタのサーバとＤＰＥショップのパソコンを接続してデジカメ撮影データなどの画像データをＤＰＥプリント用の画像フォーマットに変換するプリント画像変換システムに関する。
【０００２】
【発明が解決しようとする課題】
デジカメプリントサービスは、利用者がデジタルカメラで撮影したデータをＤＰＥショップなどに持ち込んで銀塩写真並みの仕上がりのプリント画像にしてもらうサービスである。
このとき、ＤＰＥショップでは受け取った画像データをいったん「ＴＩＦＦ」などのＤＰＥプリント用の画像フォーマットに変換する必要がある。
また、デジカメは大きな画像サイズで記録すれば鮮明な画像が得られ、小さな画像サイズで記録すれば多くの画像が記録できるなど画像サイズを変えて記録できるので、記録した画像サイズに合わせて適正な解像度のプリントサイズを指定する必要がある。
例えば２００万画素で記録した画像は、２Ｌ判（１７８×１２７ｃｍ）なら、ほとんどの人がきれいに見える２００ｄｐｉ程度の解像度でプリントできる。
【０００３】
通常、デジタル画像は画像１枚１枚にファイル名を付けて処理される。
画像フォーマットの変換は、名前を指定して画像ファイルをパソコンに入力し、例えばメニューの「ファイル」→「名前を付けて保存」を選択して次に出てくる「ファイルの種類」のリストの中から「ＴＩＦＦ形式」などの画像フォーマットを選択して行う。
また、プリントサイズの指定は、メニューの「ページ設定」→「スケール」を選択して次に出てくるダイアログで解像度などを入力して行う。
このため、各ＤＰＥショップでプリントオーダされた画像１枚１枚に対してこのような変換作業を行っていたのでは、大変な労力と時間が掛かってしまう。
また、各ＤＰＥショップで画像フォーマットの変換ソフトを購入して維持管理する場合は、購入費用やインストールやメンテナンスを行う要員の確保・育成が必要になり、ＤＰＥショップのコスト負担が増大する。
【０００４】
そこで本発明は、画像ファイルの変換効率を上げてＤＰＥプリントの作業効率を向上させるとともに、変換ソフトの維持管理などに要する運用経費を削減することを目的になされたものである。
【０００５】
【課題を解決するための手段】
かかる目的を達成するために、本発明は以下のように構成した。
【０００６】
すなわち、本発明のプリント画像変換システムは、サーバ内のフォルダにクライアントのパソコンをマウントしてネットワークフォルダとし、このサーバに、前記ネットワークフォルダを所定の時間間隔でアクセスするアクセス手段と、アクセスしたネットワークフォルダ内にあるオリジナル画像フォルダ内の画像ファイルを逐一読み出す読出手段と、読み出した画像ファイルをプリント用の画像フォーマットに逐一変換する変換手段と、変換した画像ファイルを前記ネットワークフォルダ内に作成したプリント画像フォルダ内に逐一書き出す書出手段とを備え、前記パソコンには、パソコン内に作成したオリジナル画像フォルダを前記ネットワークフォルダに移動してプリントしたい画像ファイルをサーバに送信する送信手段と、サーバがネットワークフォルダ内に作成したプリント画像フォルダをパソコン内に移動してプリント用の画像ファイルを受信する受信手段と、を備えることにより上記目的が達成される。
【０００７】
また、好ましくは、前記ネットワークフォルダを画像フォーマット別または／およびプリントサイズ別に設ける。
【０００８】
また、好ましくは、前記フォルダの移動はドラッグ＆ドロップを用いて行う。
【０００９】
また、好ましくは、前記オリジナル画像フォルダにはプリントオーダの伝票番号名が付けられる。
【００１０】
また、好ましくは、前記プリント画像フォルダにはオリジナル画像フォルダと同じ名前が付けられる。
【００１１】
また、好ましくは、前記時間間隔をクライアントのパソコンで設定可能にする。
【００１２】
また、好ましくは、前記画像ファイルの削除はフォルダ内の画像ファイルを個別に削除する個別削除とフォルダごと削除する一括削除の両方を可能にする。
【００１３】
また、好ましくは、前記プリント用の画像フォーマットに変換する画像ファイルはいったん所定のベクトル画像フォーマットに変換される。
【００１４】
【発明の実施の形態】
以下に図面を参照して、本発明の実施の形態について説明する。
【００１５】
図１に、本発明を実施したプリント画像変換システムの構成図を示す。
プリント画像変換システムは、サービス会社のサーバ１にインターネット２を介してＤＰＥショップのＬＡＮ３を接続し、ＬＡＮ３にパソコン４と銀塩写真方式または熱転写方式の業務用プリンタ５をネットワーク接続する。
パソコン４にはデジカメを接続するためのＵＳＢケーブル６、メモリカードを読み取るためのカードスロット（カードリーダ）７、画像データを入力するためのＣＤ−Ｒドライブ８などを備える。
【００１６】
図２に、本発明を実施したプリント画像変換システムのブロック図を示す。
プリント画像変換システムは、サーバ１内にネットワークフォルダとして元画像用フォルダＦ１、ＶＦＺ画像用フォルダＦ２、ＴＩＦＦ画像用フォルダＦ３を配設し、これらのフォルダにＤＰＥショップのパソコン４をマウントする。
そして利用者がデジカメやメモリカードに入った画像データをＤＰＥショップに持ち込み、ＤＰＥショップはそれをパソコン４に取り込んでオーダ伝票番号名の付いたオリジナル画像フォルダＦ４にまとめ、送信手段１０を介してＬ判・２Ｌ判・６Ｐ判サイズいずれかの元画像用フォルダＦ１に送信する。
サーバ１は、アクセス手段２０を介して所定の時間間隔で元画像用フォルダＦ１をアクセスし、読出手段３０を介してフォルダ内のオリジナル画像フォルダＦ４から画像データを読み出し、変換手段４０を介してＶＦＺ画像フォーマットに変換し、書出手段５０を介してオリジナル画像フォルダＦ４と同じ名前のベクトル画像フォルダＦ５に書き出してＬ判・２Ｌ判・６Ｐ判サイズいずれかのＶＦＺ画像用フォルダＦ２に出力する。
【００１７】
ＶＦＺは、デジタル・パブリッシング・ジャパン社が開発した画像フォーマットで、ＲＧＢそれぞれの輝度を分布成分とベクトル成分に分解し、１ファイル内に５階層の品質の異なるレイヤーで画像を保存することにより、必要なレベルに応じて最適な画質の高品位画像を出力することができる。また、画像を非損失で完全可逆圧縮するので、５〜１２００％までの倍率で極めて劣化が少なく画像を拡大・縮小することができる。
【００１８】
さらにアクセス手段２０を介して所定の時間間隔でＶＦＺ画像用フォルダＦ２をアクセスし、読出手段３０を介してフォルダ内のベクトル画像フォルダＦ５から画像データを読み出し、変換手段４０を介してＴＩＦＦ画像フォーマットに変換し、書出手段５０を介してベクトル画像フォルダＦ５と同じ名前のプリント画像フォルダＦ６に書き出してＬ判・２Ｌ判・６Ｐ判サイズいずれかのＴＩＦＦ画像用フォルダＦ３に出力する。
【００１９】
一定時間経過後、ＤＰＥショップは受信手段６０を介してパソコン４にＬ判・２Ｌ判・６Ｐ判サイズいずれかのＴＩＦＦ画像用フォルダＦ３に出力されたプリント画像フォルダＦ６を受信し、フォルダから画像データを取り出してＤＰＥプリントする。
【００２０】
既にＶＦＺ画像フォーマットに変換された画像データをＤＰＥプリントする場合は、ＤＰＥショップは画像データをパソコン４に取り込んでオーダ伝票番号名の付いたベクトル画像フォルダＦ５にまとめ、送信手段１０を介してＬ判・２Ｌ判・６Ｐ判サイズいずれかのＶＦＺ画像用フォルダＦ２に送信してプリント用の画像フォーマットに変換する。
また、ＶＦＺ画像フォーマットに変換した画像データを利用者に提供する場合は、ＤＰＥショップは受信手段６０を介してパソコン４にＬ判・２Ｌ判・６Ｐ判サイズいずれかのＶＦＺ画像用フォルダＦ２に出力されたベクトル画像フォルダＦ５を受信し、それをＣＤ−Ｒなどに焼いて利用者に提供する。
【００２１】
図３に、本発明を実施したプリント画像変換システムの画面遷移図を示す。
プリント画像変換システムは、「データの登録／削除」画面Ｓ１と、「サーバ状況確認」画面Ｓ２と、「ファイル変換設定」画面Ｓ３の３画面で構成し、画面上部のメニューをクリックして各画面を切り替えるようになっている。
【００２２】
「データの登録／削除」画面Ｓ１は、画像データの変換と削除を行い、通常の変換作業はこの画面だけで可能である。具体的にはこの後説明する元画像データの変換、ＶＦＺ画像データの変換、画像データの削除を行う。
【００２３】
「サーバ状況確認」画面Ｓ２は、サーバの動作状況を逐一ログとして保存し、それを一覧で表示する。また、変換エラーなどがあった場合、それをエラーログとして保存し、一覧で表示する。
ログの確認は、「動作状況ログ参照」の「表示」ボタンをクリックして行う。
これにより１週間分の動作履歴が表示される。
ログを見終わったら、画面上部の「メニューに戻る」ボタンをクリックして「データの登録／削除」画面Ｓ１に移る。
エラーの確認は、「エラーログ参照」の「表示」ボタンをクリックして行う。
これにより１週間分のエラー履歴が表示される。
ログを見終わったら、画面上部の「メニューに戻る」ボタンをクリックして「データの登録／削除」画面Ｓ１に移る。
【００２４】
「ファイル変換設定」画面Ｓ３は、画像データを変換する間隔を分で指定し、画像データを何分おきに変換するかを設定する。変換間隔の変更はいつでも可能で、初期設定は５分となっている。
変換間隔の設定は、分数を「半角数字」で入力して「設定」ボタンをクリックする。これにより設定が完了し、「データの登録／削除」画面Ｓ１に移る。
【００２５】
図４に、元画像データの変換手順を示す。
元画像データの変換手順は、最初に、利用者のデジカメ撮影データ（元画像）をパソコン４に入力して伝票（発注）番号単位のオリジナル画像フォルダＦ４にまとめる（ステップ１０１）。
次に、サーバ１のＵＲＬを指定してパソコン４に「データの登録／削除」画面Ｓ１を呼び出す（ステップ１０２）。
ここで「データの登録／削除」画面Ｓ１の元画像用フォルダＦ１の中からプリントしたい大きさの判のアイコンを選んでクリックする（ステップ１０３）。
これにより指定した判の元画像用フォルダＦ１が別ウインドウで開く。
元画像用フォルダＦ１はパソコン４のオリジナル画像フォルダＦ４をサーバ１に取り込むフォルダで、サイズ別に次の３種類が用意されている。
ｏｒｉｇｉｎ＿Ｌ（Ｌサイズにしたい元画像フォーマット用）
ｏｒｉｇｉｎ＿２Ｌ（２Ｌサイズにしたい元画像フォーマット用）
ｏｒｉｇｉｎ＿６Ｐ（６Ｐサイズにしたい元画像フォーマット用）
これらのフォルダはＳＡＭＢＡ／ＮｅｔＴａｌｋ／ＷｅｂＤＡＶにてＷｉｎｄｏｗｓ判、Ｍａｃｉｎｔｏｓｈ判の両方からネットワークマウント（接続）できるようになっている。
次に、オリジナル画像フォルダＦ４をフォルダごとドラッグ＆ドロップで元画像用フォルダＦ１にコピーする（ステップ１０４）。
これによりオリジナル画像フォルダＦ４がサーバ１にアップロードされる。
その後、指定された時間間隔で自動的に元画像からＶＦＺ画像へ、ＶＦＺ画像からＴＩＦＦ画像への変換がなされる。
なお、オリジナル画像フォルダＦ４を元画像用フォルダＦ１にコピーする際、フォルダの中にサブフォルダがあると、その中にある画像データは変換されないので、全ての画像データを１つのフォルダ内にまとめる必要がある。
【００２６】
一定時間経過後、「データの登録／削除」画面Ｓ１のＴＩＦＦ画像用フォルダＦ３の中から指定した大きさの判のアイコンを選んでクリックする（ステップ１０５）。
これにより指定した判のＴＩＦＦ画像用フォルダＦ３が別ウインドウで開く。
開いたウインドウの中にはオリジナル画像フォルダＦ４と同じ名前のプリント画像フォルダＦ６が生成されている。また、同時にＶＦＺ画像用フォルダＦ２にも同じ名前のベクトル画像フォルダＦ５が生成されている。
ＴＩＦＦ画像用フォルダＦ３はプリント画像フォルダＦ６をパソコン４に取り出すフォルダで、サイズ別に次の３種類が用意されている。
ＴＩＦＦ＿Ｌ（Ｌサイズ出力したＴＩＦＦ画像フォーマット用）
ＴＩＦＦ＿２Ｌ（２Ｌサイズ出力したＴＩＦＦ画像フォーマット用）
ＴＩＦＦ＿６Ｐ（６Ｐサイズ出力したＴＩＦＦ画像フォーマット用）
これらのフォルダはＳＡＭＢＡ／ＮｅｔＴａｌｋ／ＷｅｂＤＡＶにてＷｉｎｄｏｗｓ判、Ｍａｃｉｎｔｏｓｈ判の両方からネットワークマウント（接続）できるようになっている。
次に、プリント画像フォルダＦ６をフォルダごとドラッグ＆ドロップでパソコ内にコピーする（ステップ１０６）。
これによりプリント画像フォルダＦ６がパソコン４にダウンロードされる。
このプリント画像フォルダＦ６の画像データをＤＰＥプリント用に使用する。
【００２７】
図５に、ＶＦＺ画像データの変換手順を示す。
ＶＦＺ画像データの変換手順は、専用アプリケーションプログラムなどでＶＦＺ形式に変換された画像データが既にある場合、それをパソコン４に入力して伝票（発注）番号単位のベクトル画像フォルダＦ５にまとめる（ステップ２０１）。
次に、サーバ１のＵＲＬを指定してパソコン４に「データの登録／削除」画面Ｓ１を呼び出す（ステップ２０２）。
ここで「データの登録／削除」画面Ｓ１のＶＦＺ画像用フォルダＦ２の中からプリントしたい大きさの判のアイコンを選んでクリックする（ステップ２０３）。
これにより指定した判のＶＦＺ画像用フォルダＦ２が別ウインドウで開く。
ＶＦＺ画像用フォルダＦ２はパソコン４のベクトル画像フォルダＦ５をサーバ１に取り込む、あるいはサーバ１のベクトル画像フォルダＦ５をパソコン４に取り出すフォルダで、サイズ別に次の３種類が用意されている。
ＶＦＺ＿Ｌ（ＬサイズにしたいＶＦＺ画像フォーマット用）
ＶＦＺ＿２Ｌ（２ＬサイズにしたいＶＦＺ画像フォーマット用）
ＶＦＺ＿６Ｐ（６ＰサイズにしたいＶＦＺ画像フォーマット用）
これらのフォルダはＳＡＭＢＡ／ＮｅｔＴａｌｋ／ＷｅｂＤＡＶにてＷｉｎｄｏｗｓ判、Ｍａｃｉｎｔｏｓｈ判の両方からネットワークマウント（接続）できるようになっている。
次に、ベクトル画像フォルダＦ５をフォルダごとドラッグ＆ドロップでＶＦＺ画像用フォルダＦ２にコピーする（ステップ２０４）。
これによりベクトル画像フォルダＦ５がサーバ１にアップロードされる。
その後、指定された時間間隔で自動的にＶＦＺ画像からＴＩＦＦ画像への変換がなされる。
なお、間違えてＶＦＺ形式の画像データを元画像用フォルダＦ１にコピーした場合はプリント画像フォルダＦ６は生成されない。また、ＶＦＺ画像用フォルダＦ２にＪＰＥＧ形式の画像データをコピーした場合もプリント画像フォルダＦ６は生成されない。
【００２８】
一定時間経過後、「データの登録／削除」画面Ｓ１のＴＩＦＦ画像用フォルダＦ３の中から指定した大きさの判のアイコンを選んでクリックする（ステップ２０５）。
これにより指定した判のＴＩＦＦ画像用フォルダＦ３が別ウインドウで開く。
開いたウインドウの中にはベクトル画像フォルダＦ５と同じ名前のプリント画像フォルダＦ６が生成されている。
次に、プリント画像フォルダＦ６をフォルダごとドラッグ＆ドロップでパソコ内にコピーする（ステップ２０６）。
これによりプリント画像フォルダＦ６がパソコン４にダウンロードされる。
このプリント画像フォルダＦ６の画像データをＤＰＥプリント用に使用する。
【００２９】
図６に、画像データの削除手順を示す。
サーバ１に多くの画像データを残すと、サーバ１の容量を超えてしまいトラブルの原因となるので、使用済みの画像データはできるだけ速やかに削除する。
画像データの削除には、フォルダ内の画像データを全て削除する一括削除と、フォルダ内の画像データを１つ１つ選んで削除する個別削除がある。
一括削除は、最初に、サーバ１のＵＲＬを指定してパソコン４に「データの登録／削除」画面Ｓ１を呼び出す（ステップ３０１）。
ここで「データの登録／削除」画面Ｓ１に表示される元画像用フォルダＦ１、ＶＦＺ画像用フォルダＦ２、ＴＩＦＦ画像用フォルダＦ３の中から削除したい大きさの判のアイコンを選んでその下に表示されている「削除」ボタンをクリックする（ステップ３０２）。
これにより指定したフォルダ内の全ての画像データが一括削除される。
【００３０】
個別削除は、「データの登録／削除」画面Ｓ１に表示される元画像用フォルダＦ１、ＶＦＺ画像用フォルダＦ２、ＴＩＦＦ画像用フォルダＦ３の中から削除したい大きさの判のアイコンを選んでクリックする（ステップ３０３）。
これにより指定した判のフォルダが別ウインドウで開く。
開いたウインドウの中には指定したフォルダ内にあるサブフォルダまたは画像ファイルが表示されている。
ここで削除したいサブフォルダまたは画像ファイルのアイコンを選んでクリックし、ブラウザのメニューまたはキーボードのＤｅｌｅｔｅボタンでそれを削除する（ステップ３０４）。
これにより指定したフォルダ内のサブフォルダまたは画像ファイルが個別削除される。
なお、ＶＦＺ画像用フォルダＦ２やＴＩＦＦ画像用フォルダＦ３内のベクトル画像フォルダＦ５やプリント画像フォルダＦ６を削除しても、元画像用フォルダＦ１内のオリジナル画像フォルダＦ４が削除されないと、自動的に元画像からＶＦＺ画像へ、ＶＦＺ画像からＴＩＦＦ画像への変換がなされ、ＶＦＺ画像用フォルダＦ２やＴＩＦＦ画像用フォルダＦ３の中にオリジナル画像フォルダＦ４に対応するベクトル画像フォルダＦ５やプリント画像フォルダＦ６が生成されてしまう。
【００３１】
【発明の効果】
以上説明したように、本発明によれば、プリントオーダを受けた画像ファイルをフォルダにまとめてサーバに送信するだけで、所望の画像フォーマットに一括変換されるので、画像１枚１枚を呼び出して画像フォーマットやプリントサイズを指定する必要がなくなり、ＤＰＥプリントの作業効率が大幅に向上する。
また、画像フォーマットの変換ソフトがサーバ側で一元管理されるので、ＤＰＥショップ側の変換ソフトの購入や維持管理に要する費用負担や要員負担が軽減される。
【００３２】
また、フォルダを画像フォーマット別・プリントサイズ別に設けるので、画像フォーマットやプリントサイズの指定が間違いの少ない簡単な操作でできるようになる。
また、フォルダの移動をドラッグ＆ドロップで行うので、簡単で素早い操作が可能になる。
また、フォルダにはプリントオーダの伝票番号名が付けられるので、サーバとの間で送受信する際の画像ファイルの識別が容易になる。
また、アクセス時間の間隔をクライアントのパソコンで設定できるので、時間間隔を課金に反映させるなど、さまざまなサービス形態が可能になる。
また、画像ファイルの削除は個別削除と一括削除の両方が可能なので、頻繁に削除する必要のある画像ファイルを状況に応じて効率よく削除できる。
【００３３】
また、プリント用の画像フォーマットに変換する画像ファイルはいったん所定のベクトル画像フォーマットに変換されるので、加工・修正を繰り返しても極めて劣化が少ないベクトル画像の特性を生かしてさまざまな画像の加工・修正が思う存分できるようになり、デジカメ画像の活用の幅を広げることができる。
また、拡大・縮小してもジャギーが極めて少ないベクトル画像の特性を生かして、例えば集合写真の一部を拡大して特定の個人の肖像写真を作成したり、デジカメ画像を特大サイズの写真にするなどができるようになる。
【図面の簡単な説明】
【図１】本発明を実施したプリント画像変換システムの構成図である。
【図２】本発明を実施したプリント画像変換システムのブロック図である。
【図３】本発明を実施したプリント画像変換システムの画面遷移図である。
【図４】元画像データの変換手順を示す流れ図である。
【図５】ＶＦＺ画像データの変換手順を示す流れ図である。
【図６】画像データの削除手順を示す流れ図である。
【符号の説明】
１            サーバ
２            インターネット
３            ＬＡＮ
４            パソコン
５            業務用プリンタ
６            ＵＳＢケーブル
７            カードスロット（カードリーダ）
８            ＣＤ−Ｒドライブ
１０            送信手段
２０            アクセス手段
３０            読出手段
４０            変換手段
５０            書出手段
６０            受信手段
Ｆ１            元画像用フォルダ
Ｆ２            ＶＦＺ画像用フォルダ
Ｆ３            ＴＩＦＦ画像用フォルダ
Ｆ４            オリジナル画像フォルダ
Ｆ５            ベクトル画像フォルダ
Ｆ６            プリント画像フォルダ
Ｓ１            「データの登録／削除」画面
Ｓ２            「サーバ状況確認」画面
Ｓ３            「ファイル変換設定」画面
【図１】
2004227152.tif 000003
【図２】
2004227152.tif 000004
【図３】
2004227152.tif 000005
【図４】
2004227152.tif 000006
【図５】
2004227152.tif 000007
【図６】
2004227152.tif 000008